(57)【特許請求の範囲】
【請求項１】
データベース及び上記データベースに接続されたデータ編集用プログラムを備えたデータ定義部と、上記データ定義部による出力を表示する表示部と、オペレータによる入力が可能な入力部とを備えたデータ定義装置を有する監視制御システムにおいて、
上記データベースは、複数のプラントのプラント名称の一覧が設けられたプラントテーブル、上記複数のプラント毎の設備の設備名称の一覧が設けられた設備テーブル、上記複数のプラントそれぞれの設備毎の信号名称の一覧が設けられた信号テーブル及び行を区別するための項目番号欄と上記プラントテーブル、設備テーブル及び信号テーブルから選択された各名称を格納するための項目名称欄が設けられた項目番号テーブルから構成され、上記プラントテーブル、設備テーブル及び信号テーブルはリンクされ、
上記データ編集用プログラムは、内部に、上記リンクされた情報を取得するリンク情報取得手段、上記リンク情報取得手段が取得した情報に基づき、上記プラントテーブルの一覧から選択されたプラントの設備名称の一覧が設けられた上記設備テーブルを上記表示部に表示し表示された上記設備テーブルから選択された設備の信号名称の一覧が設けられた上記信号テーブルを取得して上記表示部に表示する信号一覧表示手段、及び上記項目番号テーブルを取得して項目番号編集画面として上記表示部に表示し上記信号一覧表示手段が取得した上記信号テーブルから選択された信号名称、上記選択された信号名称のプラント名称及び上記選択された信号名称の設備名称の文字列を上記項目番号編集画面に設定し表示する項目名称定義手段を備え、
上記オペレータが上記表示部にプラント名称の一覧が記載された上記プラントテーブルを表示し、表示された上記プラントテーブルのプラント名称を選択して選択したプラント名称の設備の一覧が記載された上記設備テーブルから設備名称を選択して選択した設備名称の信号名称の一覧が記載された上記信号テーブルから信号名称を選択することにより、選択したプラント名称、設備名称及び信号名称の文字列が連結された文字列が上記項目番号編集画面に設定され、上記表示部に出力されることを特徴とする監視制御システム。
【請求項２】
上記プラント名称または設備名称の上記項目番号編集画面への設定が必要なものを有、不要なものを無と定義する設定項目定義ファイルを上記データ定義部に設け、上記データ編集用プログラムに、上記設定項目定義ファイルに上記有が設定されている名称のみを上記項目番号編集画面に設定する設定項目切替手段を設けたことを特徴とする請求項１に記載の監視制御システム。
【請求項３】
上記プラント名称、設備名称及び信号名称の文字数を定義する設定文字数定義ファイルを上記データ定義部に設け、上記データ編集用プログラムに、上記設定文字数定義ファイルを参照して上記項目番号編集画面に設定する文字数を制限する設定文字数制限手段を設けたことを特徴とする請求項１に記載の監視制御システム。
【請求項４】
上記プラント名称、設備名称及び信号名称の略称を定義する略称定義ファイルを上記データ定義部に設け、上記データ編集用プログラムに、上記略称定義ファイルを参照して上記項目番号編集画面に上記プラント名称、設備名称及び信号名称の略称を設定する略称変換手段を設けたことを特徴とする請求項１に記載の監視制御システム。
【請求項５】
上記プラント名称または設備名称の上記項目番号編集画面への設定が必要なものを有、不要なものを無と定義する設定項目定義ファイル、設定する文字数を定義する設定文字数定義ファイル及び設備名称及び信号名称の略称を定義する略称定義ファイルを上記データ定義部に設け、上記データ編集用プログラムに、上記設定項目定義ファイルを参照して上記有が設定されている名称のみを上記項目番号編集画面に設定する設定項目切替手段、上記設定文字数定義ファイルを参照して上記項目番号編集画面に設定する文字数を制限する設定文字数制限手段及び上記略称定義ファイルを参照して上記項目番号編集画面に上記プラント名称、設備名称及び信号名称の略称を設定する略称変換手段を設けたことを特徴とする請求項１に記載の監視制御システム。
【発明の詳細な説明】
【技術分野】
【０００１】
この発明は、複数のプラントを監視及び制御する監視制御システムに関するものであり、特に、プラントの設備のデータに関する日報のような帳票を作成するために使用するデータ定義装置に関するものである。
【背景技術】
【０００２】
従来の監視制御システムは、監視制御システムで使用する演算式をまとめた演算データなどを定義するデータ定義装置のデータ定義画面において設備の信号を登録する際に、登録する信号名称だけを設定していた。
【先行技術文献】
【特許文献】
【０００３】
【特許文献１】特開２０１０−１４６２８１号公報（第９頁、図１２−図１３）
【発明の概要】
【発明が解決しようとする課題】
【０００４】
従来のシステムでは、上記特許文献１のように、データ定義画面において設備の信号を登録する際に、登録する信号名称だけを設定していたので、複数のプラントの設備を監視制御する場合、どのプラントのどの設備のものであるかが判別できなかった。そのため、どのプラントのどの設備であるかを区別するために、信号名称の登録操作の後に、プラント名称や設備名称などの付加情報を必ず手入力する必要があり、そのために人手と時間を要し、コストが高くなり、また、入力ミスが発生するといった課題があった。
【０００５】
この発明は、上記のような課題を解決するためになされたものであり、複数のプラントの監視及び制御をする監視制御システムにおいて、信号名称がどのプラントのどの設備のものであるかを自動的に入力し、手入力作業を軽減することを目的とする。
【課題を解決するための手段】
【０００６】
この発明に係る監視制御システムは、データベース及び上記データベースに接続されたデータ編集用プログラムを備えたデータ定義部と、上記データ定義部による出力を表示する表示部と、オペレータによる入力が可能な入力部とを備えたデータ定義装置を有する監視制御システムにおいて、
上記データベースは、複数のプラントのプラント名称の一覧が設けられたプラントテーブル、上記複数のプラント毎の設備の設備名称の一覧が設けられた設備テーブル、上記複数のプラントそれぞれの設備毎の信号名称の一覧が設けられた信号テーブル及び行を区別するための項目番号欄と上記プラントテーブル、設備テーブル及び信号テーブルから選択された各名称を格納するための項目名称欄が設けられた項目番号テーブルから構成され、上記プラントテーブル、設備テーブル及び信号テーブルはリンクされ、
上記データ編集用プログラムは、内部に、上記リンクされた情報を取得するリンク情報取得手段、上記リンク情報取得手段が取得した情報に基づき、上記プラントテーブルの一覧から選択されたプラントの上記設備名称の一覧が設けられた上記設備テーブルを上記表示部に表示し表示された上記設備テーブルから選択された設備の信号名称一覧が設けられた上記信号テーブルを取得して上記表示部に表示する信号一覧表示手段、及び上記項目番号テーブルを取得して項目番号編集画面として上記表示部に表示し上記信号一覧表示手段が取得した上記信号テーブルから選択された信号名称、上記選択された信号名称のプラント名称及び上記選択された信号名称の設備名称の文字列を上記項目番号編集画面に設定し表示する項目名称定義手段を備え、
上記オペレータが上記表示部にプラントの一覧が記載された上記プラントテーブルを表示し、表示された上記プラントテーブルのプラント名称を選択して選択したプラント名称の設備の一覧が記載された上記設備テーブルから設備名称を選択して選択した設備名称の信号名称の一覧が記載された上記信号テーブルから信号名称を選択することにより、選択したプラント名称、設備名称及び信号名称の文字列が連結された文字列が上記項目番号編集画面に設定され、上記表示部に出力されるものである。
【発明の効果】
【０００７】
この発明に係る監視制御システムによれば、データベース及び上記データベースに接続されたデータ編集用プログラムを備えたデータ定義部と、上記データ定義部による出力を表示する表示部と、オペレータによる入力が可能な入力部とを備えたデータ定義装置を有する監視制御システムにおいて、
上記データベースは、複数のプラントのプラント名称の一覧が設けられたプラントテーブル、上記複数のプラント毎の設備の設備名称の一覧が設けられた設備テーブル、上記複数のプラントそれぞれの設備毎の信号名称の一覧が設けられた信号テーブル及び行を区別するための項目番号欄と上記プラントテーブル、設備テーブル及び信号テーブルから選択された各名称を格納するための項目名称欄が設けられた項目番号テーブルから構成され、上記プラントテーブル、設備テーブル及び信号テーブルはリンクされ、
上記データ編集用プログラムは、内部に、上記リンクされた情報を取得するリンク情報取得手段、上記リンク情報取得手段が取得した情報に基づき、上記プラントテーブルの一覧から選択されたプラントの設備名称の一覧が設けられた上記設備テーブルを上記表示部に表示し表示された上記設備テーブルから選択された設備の信号名称一覧が設けられた上記信号テーブルを取得して上記表示部に表示する信号一覧表示手段、及び上記項目番号テーブルを取得して項目番号編集画面として上記表示部に表示し上記信号一覧表示手段が取得した上記信号テーブルから選択された信号名称、上記選択された信号名称のプラント名称及び上記選択された信号名称の設備名称の文字列を上記項目番号編集画面に設定し表示する項目名称定義手段を備え、
上記オペレータが上記表示部にプラント名称の一覧が記載された上記プラントテーブルを表示し、表示された上記プラントテーブルのプラント名称を選択して選択したプラント名称の設備の一覧が記載された上記設備テーブルから設備名称を選択して選択した設備名称の信号名称の一覧が記載された上記信号テーブルから信号名称を選択することにより、選択したプラント名称、設備名称及び信号名称の文字列が連結された文字列が上記項目番号編集画面に設定され、上記表示部に出力されるものであるので、複数のプラントの演算などを定義するデータ定義装置を備えた監視制御システムにおいて、信号名称がどのプラントのどの設備のものであるかを自動的に入力し、手入力作業を軽減することができ、コストが低減され、また、入力ミスが減少する。
【図面の簡単な説明】
【０００８】
【図１】この発明に係る監視制御装置におけるデータ定義装置の実施の形態１を示すブロック図である。
【図２】実施の形態１のプラント一覧画面の一例を示す図である。
【図３】実施の形態１の設備一覧画面の一例を示す図である。
【図４】実施の形態１の信号一覧画面の一例を示す図である。
【図５】実施の形態１の項目番号編集画面の一例を示す図である。
【図６】実施の形態１の帳票の一例を示す図である。
【図７】実施の形態１のデータ定義装置の動作について説明するフローチャートである。
【図８】この発明に係る監視制御装置におけるデータ定義装置の実施の形態２を示すブロック図である。
【図９】実施の形態２の設定項目定義ファイルの一例を示す図である。
【図１０】実施の形態２のデータ定義装置の動作について説明するフローチャートである。
【図１１】この発明に係る監視制御装置におけるデータ定義装置の実施の形態３を示すブロック図である。
【図１２】実施の形態３の設定文字数定義ファイルの一例を示す図である。
【図１３】実施の形態３のデータ定義装置の動作を説明するフローチャートである。
【図１４】この発明に係る監視制御装置におけるデータ定義装置の実施の形態４を示すブロック図である。
【図１５】実施の形態４の略称定義ファイルの一例を示す図である。
【図１６】実施の形態４のデータ定義装置の動作を説明するフローチャートである。
【発明を実施するための形態】
【０００９】
実施の形態１．
以下、この発明の実施の形態１を図１に基づいて説明する。
図１は、この発明に係る監視制御装置におけるデータ定義装置の実施の形態１を示す図であり、（ａ）は構成を示すブロック図、（ｂ）はデータベースの構成を示す図である。図１（ａ）に示したように、この実施の形態１のデータ定義装置は、データベース８０及びデータベース８０に接続されたデータ編集用プログラム１０を備えたデータ定義部１と、データ定義部１による出力を表示する表示部３と、オペレータによる入力が可能な入力部２を備えた構成である。
【００１０】
図１（ｂ）に示したように、データベース８０は、項目番号欄と項目名称欄が設けられた項目番号テーブル８１、複数のプラントのプラント名称の一覧が設けられたプラントテーブル８２、複数のプラント毎の設備の設備名称の一覧が設けられた設備テーブル８３及び各プラントの設備毎の信号名称の一覧が設けられた信号テーブル８４から構成され、プラントテーブル８２、設備テーブ８３及び信号テーブル８４はリンクされている。項目番号テーブル８１の項目番号は行を区別するためのものであり、項目名称欄はプラントテーブル８２、設備テーブル８３、信号テーブル８４から選択された各名称を格納するエリアである。
【００１１】
データ編集用プログラム１０は、内部に、上記リンクされた情報を取得するリンク情報取得手段１０２、リンク情報取得手段１０２が取得した情報に基づき、プラントテーブル８２の一覧から選択されたプラントの設備名称の一覧が記載された設備テーブル８３を表示し、表示された設備テーブル８３から選択された設備の信号名称一覧が記載された信号テーブル８４を取得して表示する信号一覧表示手段１０１、及び項目番号テーブル８１を取得して項目名称編集画面として表示し、信号一覧表示手段１０１が取得した信号名称から選択された信号名称、この選択された信号名称のプラント名称及び選択された信号名称の設備名称の文字列を項目番号編集画面８１ａに設定し表示する項目名称定義手段１０３を備える。
【００１２】
次に、この実施の形態１におけるデータ定義装置の動作について説明する。
図２は、実施の形態１のプラント一覧画面８２ａの一例を示す図であり、図３は、実施の形態１の設備一覧画面８３ａの一例を示す図であり、図４は、実施の形態１の信号一覧画面８４ａの一例を示す図であり、図５は、実施の形態１の項目番号編集画面８１ａの一例を示す図であり、図６は、実施の形態１の帳票９０の一例を示す図であり、図７は、この実施の形態１のデータ定義装置の動作について説明するフローチャートである。
【００１３】
オペレータは入力部２を使用し、図２に示した、プラントテーブル８２を読み出し、プラント一覧画面８２ａを表示部３に表示し、例えば、プラントＡを選択すると、図３に示したように、プラントＡの設備一覧画面８３ａが表示部に表示される。さらに、設備一覧画面８３ａの設備ｂを選択すると、図４に示したように、プラントＡ、設備ｂの信号一覧画面８４ａが表示される。信号一覧画面８４ａに表示された、例えば、信号名称の２を図５に示した項目番号テーブル８１が表示された項目番号編集画面８１ａに設定する（Ｓ−１０１）。入力部２がマウスである場合、信号一覧画面８４ａの設定する信号名称の２の選択エリアをドラッグし、項目番号編集画面８１ａの項目番号テーブル８１の設定するエリアである項目名称欄にドロップする。
【００１４】
図７に示したように、項目番号編集画面８１ａにおける項目番号テーブル８１の設定するエリアに信号がドロップされると、項目名称定義手段１０３は、リンク情報取得手段１０２を起動し（Ｓ−１０２）、ドロップされた信号名称のプラント名称及び設備名称をリンク情報に基づき取得して図５に示したように、プラント名称、設備名称及び信号名称の文字列を連結した文字列を項目名称として設定し、流量の１、流量の２及び流量の３の総和値を生成し（Ｓ−１０３）、表示部３に出力する（Ｓ−１０４）。図５に示した項目番号テーブル８１のデータに基づき、データ定義装置とは別に設けられた帳票作成手段によって、図６に示すような帳票９０が作成される。
【００１５】
この実施の形態１によれば、データベース８０及びデータベース８０に接続されたデータ編集用プログラム１０を備えたデータ定義部１と、データ定義部１による出力を表示する表示部３と、オペレータによる入力が可能な入力部２とを備えたデータ定義装置を有する監視制御システムにおいて、データベース８０は、複数のプラント名の一覧が設けられたプラントテーブル８２、複数のプラント毎の設備名一覧が設けられた設備テーブル８３、各プラントの設備毎の信号名称の一覧が設けられた信号テーブル８４及び行を区別するための項目番号欄とプラントテーブル８２、設備テーブル８３及び信号テーブル８４から選択された各名称を格納するための項目名称欄が設けられた項目番号テーブル８１から構成され、プラントテーブル８２、設備テーブル８３及び信号テーブル８４はリンクされ、データ編集用プログラム１０は、内部に、リンクされた情報を取得するリンク情報取得手段１０２、リンク情報取得手段１０２が取得した情報に基づき、プラントテーブル８２の一覧から選択されたプラントの設備名一覧が設けられた設備テーブル８３を表示部３に表示し表示された設備テーブル８３から選択された設備の信号名称一覧が設けられた信号テーブル８４を取得して表示部３に表示する信号一覧表示手段１０１、及び項目番号テーブル８１を取得して項目番号編集画面８１ａとして表示部３に表示し信号一覧表示手段が１０１が取得した信号テーブルから選択された信号名称、選択された信号名称のプラント名称及び選択された信号名称の設備名称の文字列を項目番号編集画面８１ａに設定し表示する項目名称定義手段１０３を備え、オペレータが表示部３にプラントの一覧が記載されたプラントテーブル８２を表示し、表示されたプラントテーブル８２のプラント名称を選択して選択したプラント名称の設備の一覧が記載された設備テーブル８３から設備名称を選択して選択した設備名称の信号名称の一覧が記載された信号テーブル８４から信号名称を選択することにより、選択した信号名称、選択した信号名称のプラント名称、選択した信号名称の設備名称の文字列が連結された文字列が項目番号編集画面８１ａに格納され、表示部３に出力されるものであるので、信号名称がどのプラントのどの設備のものであるかが自動的に入力され、手入力作業が軽減され、コストが低減され、また、入力ミスが減少する。
【００１６】
実施の形態２．
図８は、この発明に係る監視制御装置におけるデータ定義装置の実施の形態２を示すブロック図である。上記実施の形態１では、プラント名称、設備名称を必ず設定する場合について述べた。この実施の形態２では、図８に示したように、プラント名称、設備名称の設定有無を定義する設定項目定義ファイル２０１をデータ定義部１に設け、データ編集用プログラム１０に、設定項目の設定を切り替える設定項目切替手段１０４を設けたものである。
【００１７】
図９は、この実施の形態２における設定項目定義ファイル２０１の一例を示す図である。図１０に示したように、プラント名称は設定し、設備名称は設定しないように設定項目切替手段１０４で切り替える。
【００１８】
次に、この実施の形態２のデータ定義装置の動作について説明する。
図１０は、この実施の形態２のデータ定義装置の動作について説明するフローチャートである。
オペレータは入力部２を使用し、図４と同様の信号一覧画面に表示した信号名称を項目番号編集画面８１ａに設定する（Ｓ−２０１）。入力部２がマウスである場合、信号一覧画面の設定する信号名称の選択エリアをドラッグし、項目番号編集画面８１ａの項目名称欄にドロップする。
【００１９】
信号名称が項目名称欄にドロップされると、項目名称定義手段１０３はリンク情報取得手段１０２を起動し（Ｓ−２０２）、ドロップされた信号名称、この信号名称のプラント名称および設備名称を取得後、設定項目切替手段１０４を起動し（Ｓ−２０３）、図１０に示したプラント名称及び設備名称の設定有無を取得して、図１０の例であれば、設備名称を除いて、プラント名称、信号名称を連結した文字列を項目名称欄に格納して（Ｓ−２０４）、表示部３に出力する（Ｓ−２０５）。
【００２０】
この実施の形態２によれば、監視する設備を特定のものとするような場合（例えば、ポンプＡのみを監視する）、項目名称の表示を簡略化することができる。
【００２１】
実施の形態３．
図１１は、この発明に係るデータ定義装置の実施の形態３を示すブロック図である。上記実施の形態１では、プラント名称、設備名称及び信号名称文字列をそのまま使用して設定する場合について述べた。この実施の形態３では、図１１に示したように、プラント名称、設備名称及び信号名称の文字数を定義する設定文字数定義ファイル２０２をデータ定義部１に設け、データ編集用プログラム１０に、プラント名称、設備名称及び信号名称の文字数を制限する設定文字数制限手段１０５を設けたものである。
【００２２】
図１２は、この実施の形態３の設定項目プラント名称、設備名称及び信号名称の文字数を定義する設定文字数定義ファイル２０２の一例を示す図である。
【００２３】
次に、この実施の形態３のデータ定義装置の動作について説明する。
図１３は、この実施の形態３のデータ定義装置の動作を説明するフローチャートである。
オペレータは入力部２を使用し、図４と同様の信号一覧画面に表示した信号名称を項目名称編集画面に設定する（Ｓ−３０１）。入力部２がマウスである場合、信号一覧画面８４ａの設定する信号名称の選択エリアをドラッグし、項目番号編集画面８１ａの項目番号テーブル８１の設定するエリアにドロップする。
【００２４】
信号名称がドロップされると、項目名称定義手段１０３はリンク情報取得手段１０２を起動し（Ｓ−３０２）、ドロップされた信号のプラント名称および設備名称を取得後、設定文字数制限手段１０５を起動し（Ｓ−３０３）、プラント名称、設備名称及び信号名称の文字数制限を取得して（図１２参照）、設定するプラント名称、設備名称及び信号名称のそれぞれについて文字数制限以内の文字列を抽出の上、それらを連結した文字列を項目名称として設定し（Ｓ−３０４）、表示部３に出力する（Ｓ−３０５）。
【００２５】
この実施の形態３によれば、限られた大きさのエリア内に項目名称を設定することができる。
【００２６】
実施の形態４．
図１４は、この発明に係るデータ定義装置の実施の形態４を示すブロック図である。上記実施の形態１では、プラント名称、設備名称及び信号名称文字列をそのまま使用して設定する場合について述べた。この実施の形態４では、図１４に示したように、プラント名称、設備名称及び信号名称の略称を定義する略称定義ファイル２０３をデータ定義部１に設け、データ編集用プログラム１０に、設備名称及び信号名称の文字列を略称に変換する略称変換手段１０６を設けたものである。
【００２７】
図１５は、この実施の形態４の設定項目プラント名称、設備名称及び信号名称の略称を定義する略称定義ファイル２０３の一例を示す図である。
【００２８】
次に、この実施の形態４のデータ定義装置の動作について説明する。
図１６は、この実施の形態４のデータ定義装置の動作を説明するフローチャートである。
オペレータは入力部２を使用し、信号一覧画面８４ａに表示した信号名称を項目番号編集画面８１ａに設定する（Ｓ−４０１）。入力部２がマウスである場合、図４と同様の信号一覧画面８４ａの設定する信号名称の選択エリアをドラッグし、項目番号編集画面８１ａの項目番号テーブル８１の設定するエリアにドロップする。
【００２９】
項目番号編集画面８１ａの設定するエリアに信号名称がドロップされると、項目名称定義手段１０３はリンク情報取得手段１０２を起動し（Ｓ−４０２）、ドロップされた信号名称のプラント名称及び設備名称を取得後、略称変換手段１０６を起動し（Ｓ−４０３）、プラント名称、設備名称及び信号名称で使用する略称を取得して（図１５参照）、設定するプラント名称、設備名称及び信号名称を略称に変換した上、それらを連結した文字列を項目名称として設定し（Ｓ−４０４）、表示部３に出力する（Ｓ−４０５）。
【００３０】
なお、この発明は、その発明の範囲内において、各実施の形態を自由に組み合わせたり、各実施の形態を適宜、変形、省略することが可能である。
【産業上の利用可能性】
【００３１】
この発明に係る監視制御システムは、浄水場等、複数のプラントを監視及び制御する監視制御システムに有効に利用することができる。
【符号の説明】
【００３２】
１  データ定義部、２  入力部、３  表示部、１０  データ編集用プログラム、
８０  データベース、８１  項目番号テーブル、８１ａ  項目番号編集画面、
８２  プラントテーブル、８２ａ  プラント一覧画面、８３  設備テーブル、
８３ａ  設備一覧画面、８４  信号テーブル、８４ａ  信号一覧画面、９０  帳票、
１０１  信号一覧表示手段、１０２  リンク情報取得手段、１０３  項目名称定義手段、１０４  設定項目切替手段、１０５  文字数制限手段、１０６  略称変換手段、
２０１  設定項目定義ファイル、２０２  設定文字数定義ファイル、
２０３  略称定義ファイル。
【図１】
0005773896.tif 000002
【図２】
0005773896.tif 000003
【図３】
0005773896.tif 000004
【図４】
0005773896.tif 000005
【図５】
0005773896.tif 000006
【図６】
0005773896.tif 000007
【図７】
0005773896.tif 000008
【図８】
0005773896.tif 000009
【図９】
0005773896.tif 000010
【図１０】
0005773896.tif 000011
【図１１】
0005773896.tif 000012
【図１２】
0005773896.tif 000013
【図１３】
0005773896.tif 000014
【図１４】
0005773896.tif 000015
【図１５】
0005773896.tif 000016
【図１６】
0005773896.tif 000017